(57)【要約】【課題】良好な美観および段板の取付強度を十分に確保できる屋内階段を提供する。【解決手段】本発明は、ささら桁２に、段板３が段板固定金具４を介して支持されるようにした屋内階段を対象とする。ささら桁２の上面側におけ記段板固定金具４の取付位置に、組付溝２６が形成される。段板固定金具４は、略水平に配置される段板受け板５と、段板受け板５から下方に延び、かつ互いに対向して配置される内側下向き片６１および外側下向き片６５とを備える。段板受け板５が段板３の下面に段板用固着具１１を介して固定される。内側下向き片６１がささら桁２の内側面２３に沿うように配置されるとともに、外側下向き片６５が組付溝２６に差し込まれた状態で、内側下向き片６１が桁用固着具１３によってささら桁２の内側面２３に固定されている。【選択図】図３
2014047526.tif 000002
【特許請求の範囲】
【請求項１】
斜め上方に向けて延びるささら桁に、段板が段板固定金具を介して支持されるようにした屋内階段であって、
前記ささら桁の上側面側における前記段板固定金具の取付位置に、組付溝が形成される一方、
前記段板固定金具は、略水平に配置される段板受け板と、前記段板受け板から下方に延び、かつ互いに対向して配置される内側下向き片および外側下向き片とを備え、
前記段板受け板が前記段板の下面に段板用固着具を介して固定され、
前記内側下向き片が前記ささら桁の内側面に沿うように配置されるとともに、前記外側下向き片が前記組付溝に差し込まれた状態で、前記内側下向き片が桁用固着具によってささら桁の内側面に固定されていることを特徴とする屋内階段。
【請求項２】
前記ささら桁の内側部を貫通する少なくとも２本の連結具によって、前記内側下向き片および前記外側下向き片が互いに連結固定されている請求項１に記載の屋内階段。
【請求項３】
前記段板の側縁部に手摺子が立設されるとともに、前記手摺子の上端に笠木が固定された手摺を備え、
前記段板固定金具における前記段板受け板の側縁部に手摺固定孔が形成される一方、
前記手摺子の下端部が前記段板の側縁部を貫通して配置された状態で手摺用固着具によって前記手摺固定孔に固定されている請求項１または２に記載の屋内階段。
【請求項４】
斜め上方に向けて延びるささら桁に、段板を支持する際に用いられる段板固定金具であって、
段板の裏面側に配置可能な段板受け板と、
前記段板受け板を略水平に配置した際に、その段板受け板から下方に延び、互いに対向して平行に配置される内側下向き片および外側下向き片とを備え、
前記段板受け板に、その段板受け板を段板の裏面側に固定するための段板取付用貫通孔が形成され、
前記内側下向き片に、その内側下向き片をささら桁の内側面側に固定するための桁取付用貫通孔が形成され、
前記外側下向き片が、ささら桁の上側面側に設けられた組付溝に差込可能となっていることを特徴とする段板固定金具。
【発明の詳細な説明】
【技術分野】
【０００１】
この発明は、段板を固定金具を介してささら桁に固定するようにした屋内階段および段板固定金具に関する。
【背景技術】
【０００２】
一般住宅等の木質製屋内階段としてオープン階段が周知である。オープン階段は、斜め上方に延びる一対のささら桁に、複数の段板が所定の間隔おきに段板固定金具を介してそれぞれ固定されているのが一般的である。
【０００３】
例えば下記特許文献１に示す屋内用のオープン階段は、段板の下面両側に、下向きコ字状の段板固定金具をそれぞれ固定しておき、段板固定金具をそのコ字溝内にささら桁を収容するように外嵌して、コ字状固定金具の両側片をささら桁に固定されることにより、段板を固定金具を介してささら桁に固定するようにしている。
【０００４】
また特許文献２〜４に示すオープン階段は、段板の下面両側に、Ｌ字状の段板固定金具の水平片を固定しておき、段板固定金具の垂直片をささら桁の内側面に固定することにより、段板をささら桁に固定するようにしている。
【先行技術文献】
【特許文献】
【０００５】
【特許文献１】特許第４５２５４６６号
【特許文献２】特許第４６３１５７７号
【特許文献３】特開２００８−１８４８１１号公報
【特許文献４】特開２０１０−２４７７４号公報
【発明の概要】
【発明が解決しようとする課題】
【０００６】
しかしながら、特許文献１に示すようにコ字型の段板固定金具を用いるオープン階段においては、ささら桁の両側面に段板固定金具の両側片が配置されるため、その両側片のうち外側に配置される片が、階段側方から視認されてしまい、良好な美観を確保することが困難であるという課題があった。
【０００７】
一方、特許文献２〜４に示すようにＬ字型の固定金具を用いるオープン階段においては、固定金具がささら桁の内側面に配置されるため、固定金具が階段側方から視認され難く、良好な美観を確保することができる。しかしながら、Ｌ字型の固定金具は、ささら桁の一側面（内側面）だけで支持されているため、いわゆる片持ち構造となり、段板の取付強度を十分に確保することが困難になるおそれがあるという課題があった。
【０００８】
この発明は、上記の課題に鑑みてなされたものであり、良好な美観を確保しつつ、段板の取付強度を十分に確保することができる屋内階段および段板固定金具を提供することを目的とする。
【課題を解決するための手段】
【０００９】
上記課題を解決するため、本発明は、以下の手段を備えるものである。
【００１０】
［１］斜め上方に向けて延びるささら桁に、段板が段板固定金具を介して支持されるようにした屋内階段であって、
前記ささら桁の上側面側における前記段板固定金具の取付位置に、組付溝が形成される一方、
前記段板固定金具は、略水平に配置される段板受け板と、前記段板受け板から下方に延び、かつ互いに対向して配置される内側下向き片および外側下向き片とを備え、
前記段板受け板が前記段板の下面に段板用固着具を介して固定され、
前記内側下向き片が前記ささら桁の内側面に沿うように配置されるとともに、前記外側下向き片が前記組付溝に差し込まれた状態で、前記内側下向き片が桁用固着具によってささら桁の内側面に固定されていることを特徴とする屋内階段。
【００１１】
［２］前記ささら桁の内側部を貫通する少なくとも２本の連結具によって、前記内側下向き片および前記外側下向き片が互いに連結固定されている前項１に記載の屋内階段。
【００１２】
［３］前記段板の側縁部に手摺子が立設されるとともに、前記手摺子の上端に笠木が固定された手摺を備え、
前記段板固定金具における前記段板受け板の側縁部に手摺固定孔が形成される一方、
前記手摺子の下端部が前記段板の側縁部を貫通して配置された状態で手摺用固着具によって前記手摺固定孔に固定されている前項１または２に記載の屋内階段。
【００１３】
［４］斜め上方に向けて延びるささら桁に、段板を支持する際に用いられる段板固定金具であって、
段板の裏面側に配置可能な段板受け板と、
前記段板受け板を略水平に配置した際に、その段板受け板から下方に延び、互いに対向して平行に配置される内側下向き片および外側下向き片とを備え、
前記段板受け板に、その段板受け板を段板の裏面側に固定するための段板取付用貫通孔が形成され、
前記内側下向き片に、その内側下向き片をささら桁の内側面側に固定するための桁取付用貫通孔が形成され、
前記外側下向き片が、ささら桁の上側面側に設けられた組付溝に差込可能となっていることを特徴とする段板固定金具。
【発明の効果】
【００１４】
発明［１］の屋内階段によれば、段板をささら桁に支持するための段板固定金具は、内側下向き片をささら桁の内側面に固定するとともに、外側下向き片をささら桁の組付溝内に差し込むものであるため、側方から屋内階段を覗き込んだとしても、内側下向き片や外側下向き片等の段板固定金具が視認されることがなく、良好な美観を確保することができる。さらに内側下向き片をささら桁の内側面に固定した上で、外側下向き片もささら桁に固定できるため、段板を段板固定金具を介して２つの側面で支持できるため、いわゆる両持ち構造となり、十分な取付強度を得ることができる。
【００１５】
発明［２］の屋内階段によれば、段板固定金具における両下向き片が連結具によって互いに連結固定するものであるため、段板固定金具、ひいては段板の取付強度をより一層向上させることができる。
【００１６】
発明［３］の屋内階段によれば、段板固定金具を、手摺の手摺子を取り付けるための金具としても利用しているため、部品点数を削減できるとともに、階段施工作業をより一層効率良く行うことができる。
【００１７】
発明［４］の段板固定金具によれば、上記と同様に、良好な美観を確保しつつ、段板を十分な強度で取り付けることができる。
【図面の簡単な説明】
【００１８】
【図１】図１はこの発明の実施形態である木質製の屋内階段を手摺を取り外した状態で部分的に分解して示す斜視図である。
【図２】図２は実施形態の屋内階段を示す側面断面図である。
【図３】図３は実施形態の屋内階段を示す正面断面図である。
【図４】図４は実施形態の屋内階段における段板周辺を拡大して示す側面断面図である。
【図５】図５は実施形態の屋内階段における段板周辺を拡大して示す正面断面図である。
【図６】図６は実施形態の屋内階段に用いられた段板固定金具を示す斜視図である。
【図７】図７は実施形態の段板固定金具を示す図であって、図（ａ）は正面図、図（ｂ）は内側面図、図（ｃ）は外側面図、図（ｄ）は下面図である。
【図８】図８は実施形態の屋内階段に適用された手摺子を示す図であって、図（ａ）は正面図、図（ｂ）は側面図である。
【発明を実施するための形態】
【００１９】
図１はこの発明の実施形態である木質製の屋内階段を手摺を取り外した状態で部分的に分解して示す斜視図、図２は側面断面図、図３は正面断面図である。なお以下の説明においては、階段を上る際に向かっている方向（図２の右方向）を「前方」、階段を下りる際に向かっている方向（図２の左方向）を「後方」として説明する。
【００２０】
これらの図に示すように、本実施形態の屋内階段は、片側が開放されたオープン階段を構成するものであり、一方側の縁部（壁面側縁部）が屋内壁面に沿って配置され、かつ他方側の縁部（開放側縁部）が開放された階段本体１と、階段本体１の開放側縁部に設けられた手摺７とを備えている。
【００２１】
階段本体１は、一対のささら桁２，２と、一対のささら桁２，２上に所定の間隔おきに配置される複数の段板３と、各段板３を一対のささら桁２，２に固定するための段板固定金具４とを基本的な構成要素として備えている。
【００２２】
一対のささら桁２，２は、左右方向（階段巾方向）に間隔をおいて互いに平行に、かつ斜め上方に向けて延びるように配置された状態で、家屋の構造材に固定されている。言うまでもなく、ささら桁２，２は、組立予定の屋内階段の傾斜角度（勾配）に対応する傾斜角度に配置される。
【００２３】
図３等に示すようにささら桁２は、上側面２１、下側面２２、内側面２３および外側面２４とを有する断面縦長の矩形状に形成されており、上側面２１と、外側面２４との間には面取り部２５が形成されている。
【００２４】
ささら桁２の上側面２１における中間位置から少し外側面２４寄りの位置には、ささら桁２の長さ方向に沿って連続して延びる組付溝２６が形成されている。
【００２５】
本実施形態において、ささら桁２は、例えば合板、集成材、無垢材等からなる心材の表面に化粧材を設けたもの等によって構成されている。
【００２６】
またささら桁２は、内側面２３および外側面２４間の寸法である厚さが５０ｍｍ〜１００ｍｍ、上側面２１および下側面２２間の寸法である巾が１００ｍｍ〜３００ｍｍ、長さが２０００ｍｍ〜４５００ｍｍのものを好適に使用することができる。
【００２７】
なお本実施形態において、一対のささら桁２は、互いに左右対称の形状となっている。
【００２８】
図１〜図５に示すように、本実施形態において、段板３は、例えば合板、集成材、無垢材等からなる心材の表面に化粧材を設けたもの等によって構成されている。
【００２９】
また段板３は、厚さが３０ｍｍ〜６０ｍｍ、階段組付状態で前後寸法（奥行き寸法）に相当する巾が２００ｍｍ〜３００ｍｍ、階段巾寸法に相当する長さが８００ｍｍ〜１２００ｍｍのものを好適に使用することができる。
【００３０】
図４、図５に示すように本実施形態においては、段板３の裏面側両側部には、後に詳述する段板固定金具４の段板受け板５を取り付けるための取付凹部３４が形成されている。さらに段板３の開放側縁部には、表裏を貫通する手摺取付用ボルト孔３２が形成されている。
【００３１】
図６，図７に示すように、段板固定金具４は、略正方形状の段板受け板５と、その段板受け板５の下面側に設けられ、かつ下方に延びて互いに対向するように平行に配置される板状の内側下向き片６１および外側下向き片６５とを備えている。
【００３２】
なお本実施形態において、段板固定金具４は、２つの金属部材が組み合わされて形成されている。すなわち一方の金属部材は、段板受け板５を構成するものであって、平板状の金属板によって構成されている。この段板受け板５における両下向き片６１，６５に対応する位置には、スリット５０，５０が形成されている。
【００３３】
また他方の金属部材は、内側下向き片６１と、外側下向き片６５と、両下向き片６１，６５の上端部間を連結する連結片とを有する下向きコ字状の金属製の成形板６によって構成されている。このコ字状の成形板６における両下向き片６１，６５が、段板受け片５の両スリット５０，５０に上面側から挿入されて、コ字状成形板６の連結片が段板固定板５に溶接されることによって、段板固定金具４が形成されている。
【００３４】
この段板固定金具４における段板受け板５の四隅には、段板取付用ビス孔５１が形成されるとともに、周囲四辺のうち所定の辺部の中間位置には、手摺取付用ボルト孔５２が形成されている。
【００３５】
なお、段板受け板５における手摺取付用ボルト孔５２が形成される側の辺部は、階段組付状態において、外側、つまり開放側縁部に配置される。
【００３６】
また本実施形態においては、段板取付用ビス孔５１によって、段板取付用貫通孔が構成されている。
【００３７】
段板固定金具４における内側下向き片６１および外側下向き片６５は、段板受け板５を水平に保持した状態では、前方斜め下向きに延びるように配置される。外側下向き片６５の下端縁は、屋内階段の傾斜（勾配）に対応するように斜め上向きに切り欠かれて、階段組付状態において、ささら桁２の組付溝２６に挿入できるようになっている。さらに外側下向き片６５の下端部両側には、ねじ溝（雌ねじ）が刻設された連結用ねじ切り孔６６，６６が形成されている。
【００３８】
内側下向き片６１の下端縁は、段板受け板５と平行となるように形成されている。この内側下向き片６１の下端部には、上記外側下向き片６５の連結用ねじ切り孔６６，６６に対応して、連結用ボルト孔６２，６２が形成されている。さらに内側下向き片６１の下端部における前側には、前後に並ぶように２つの桁取付用ビス孔６３，６３が形成されている。
【００３９】
なお、本実施形態においては、段板固定金具４は、以下に説明するように段板３の下面両側に固定されるものであるが、段板３の右側に固定される段板固定金具４と、左側に固定される段板固定金具４とは左右対称形状となっている。
【００４０】
また本実施形態において、内側下向き片６１の連結用ボルト孔６２と、外側下向き片６５の連結用ねじ切り孔６６とが、それぞれ連結用貫通孔を構成している。
【００４１】
以上の構成の段板固定金具４を用いて、以下に説明するように、各段板３を一対のささら桁２，２に固定する。なお、以下の説明では、段板固定金具４を段板３に取り付けてから、その固定金具付きの段板３をささら桁２に固定するようにしているが、本発明において組付手順は限定されるものではなく、例えばささら桁２に段板固定金具４を固定してから、その固定金具４に段板３を固定するようにしても良い。
【００４２】
まず、施工する段板３の下面における左右両側に段板固定金具４，４をそれぞれ固定する。すなわち段板固定金具４の段板受け板５を段板３の下面における取付凹部３４内に収容するように配置し、その状態で、段板受け板５の四隅に設けられたビス孔５１に、段板用固着具として構成されるビス１１を挿通して段板３にねじ込んで固定する。これにより、段板３の下面両側に段板固定金具４，４をそれぞれ固定する。この状態では、段板固定金具４の段板受け板５は、段板３の取付凹部３４内に収容されているため、段板受け板５の下面と、段板３の下面とが同一平面内に配置されるよう構成されている。
【００４３】
こうして段板３に固定された段板固定金具４は、外側下向き片６５がささら桁２の組付溝２６に対応し、内側下向き片６１がささら桁２の内側面２３に対応して配置され、かつ外側下向き片６５が内側下向き片６１に対し外側に配置される。
【００４４】
この段板固定金具４が付いた複数の段板３を、一対のささら桁２，２に所定の間隔おきに固定する。すなわち段板固定金具４の内側下向き片６１をささら桁２の内側面２３に沿わせるとともに、外側下向き片６５をささら桁２の組付溝２６内に挿入配置する。
【００４５】
なお図３に示すように、ささら桁２における内側面２３と組付溝２６との間には、段板固定金具４の両下向き片６１，６５におけるボルト孔６２およびねじ切り孔６６に対応して、ボルト挿通孔２７が形成されている。そして、このボルト挿通孔２７に、段板固定金具４のボルト孔６２およびねじ切り孔６６を臨ませて配置した際には、段板受け板５が水平に配置されて、その段板受け板５に固定された段板３も水平に配置されるようになっている。
【００４６】
この状態において、内側下向き片６１の２つの連結用ボルト孔６２，６２に、ボルト１２，１２を内側面側からそれぞれ挿通して、さらにささら桁２のボルト挿通孔２７，２７に挿通して、外側下向き片６５の連結用ねじ切り孔６６，６６にそれぞれねじ込んで固定する。これにより、両下向き片６１，６５が２箇所の位置でボルト１２，１２を介して連結されるため、段板固定金具４、つまり段板３がささら桁２に対し回り止めが図られた状態で所定の取付角度に保持される。
【００４７】
さらに内側下向き片６１の２つの桁取付用ビス孔６３，６３にビス１３，１３を内側面側から挿通してささら桁２にねじ込んで固定する。これにより、段板固定金具４と共に段板３がささら桁２に強固に固定される。なお内側下向き片６１のささら桁２へのビス留めは、両下向き片６１，６５をボルト１２で連結する前に行っても良い。すなわち、内側下向き片６１をビス１３によってささら桁２に固定した後、両下向き片６１，６５をボルト１２によって連結するようにしても良い。
【００４８】
言うまでもなく、本実施形態において、段板３は、両側の２箇所の位置で段板固定金具４，４を介して一対のささら桁２，２にそれぞれ固定されている。
【００４９】
ここで、本実施形態においては、段板固定金具４における両下向き片６１，６５を連結するためのボルト１２が、連結具を構成している。さらに内側下向き片６１をささら桁２に固定するためのビス１３が、桁用固着具を構成している。
【００５０】
以下同様に、一対のささら桁２，２に所定の間隔おきに複数の段板３を固定することによって階段本体１が組み立てられる。
【００５１】
一方図２，３に示すように、階段本体１の開放側縁部に組み付けられる手摺７は、角パイプによって構成される複数の手摺子（縦子）７１と、手摺子７１の上端に沿って取り付けられる笠木（横木）７５とを備えている。
【００５２】
図８（ａ）（ｂ）に示すように、手摺子７１は、水平断面が横長の長方形状に形成されており、下端部には、平面視が横長の長方形状の台座７２が固定されている。さらに手摺子７１の下端には、丸パイプ形状の棒ナット７３の上側が固定されることによって、その棒ナット７３の下側が下方に突出するように配置されている。
【００５３】
なお本実施形態において、手摺子７１として、断面が長方形状のものを使用しているが、言うまでもなく、手摺子７１の断面の形状や大きさ等は、強度や意匠性等を考慮して適宜設定すれば良い。例えば手摺子７１の断面を長方形以外の四角形、三角形、五角以上の多角形、円形、楕円形、長円形等に形成するようにしても良い。
【００５４】
この構成の手摺子７１の棒ナット７３が、段板３の手摺取付用ボルト孔３２に上面側から挿入されて、台座７２が段板３の上面に載置されるとともに、棒ナット７３の挿入側の端部が、固定金具４の手摺取付用ボルト孔５２に対応して配置される。さらに固定金具４の手摺取付用ボルト孔５２に下面側からボルト７４が挿入されて、手摺子７１の棒ナット７３にねじ込まれるとともに、台座７２の四隅にビス１６が貫通されて段板３にねじ込まれる。これにより、手摺子７１が段板３の開放側縁部に垂直に立ち上がった状態に固定される。
【００５５】
同様にして、各段板３の開放側縁部に、各手摺子７１が立ち上がり状にそれぞれ固定される。
【００５６】
また１段目の段板３に固定される手摺子７１は、親柱を構成するものであり、その親柱と、２段目の段板３とがＬ字状の手摺子連結金具７８によって固定されている。
【００５７】
すなわち図１に示すように手摺子連結金具７８の垂直片が、親柱を構成する１段目の手摺子７１の下端部裏面側（下端部前面側）にビス留めによって固定されるとともに、水平片が２段目の段板３の裏面側にビス留めによって固定される。なお本実施形態では、２段目の段板３において、固定金具４を段板３に固定しているビス１１が、手摺子連結金具７８を段板３に固定しているビスを兼用している。
【００５８】
さらに親柱を構成する手摺子７１の表面側（後面側）には、化粧部材７９がビス留めによって固定される。
【００５９】
また笠木７５が、複数の手摺子７１の上端部に沿うように配置された状態で、各手摺子７１の上端部にそれぞれ固定される。
【００６０】
さらに補助横木７７が、複数の手摺子７１の中間部に沿うように配置された状態で、各手摺子７１の中間部にそれぞれ固定される。
【００６１】
こうして組み立てられた本実施形態の屋内階段では、段板３をささら桁２に支持するための段板固定金具４において、外側下向き片６５はささら桁２の組付溝２６内に差し込まれるとともに、内側下向き片６１はささら桁２の内側面に沿うように配置されるため、側方から屋内階段を覗き込んだとしても、内側下向き片６１や外側下向き片６５等の段板固定金具４が視認されることがなく、良好な美観を確保することができる。
【００６２】
また本実施形態において、段板固定金具４は、内側下向き片６１と外側下向き片６５との２つの下向き片を備え、両下向き片６１，６５をささら桁２に固定することによって、段板３を段板固定金具４を介してささら桁２の２箇所で支持できるため、段板３をささら桁２に、いわゆる両持ち構造で支持することができる。このため本実施形態の屋内階段は、例えば上記特許文献２〜４に示すように、段板をＬ字型固定金具を介してささら桁の内側面だけ、つまり片面だけの片持ち構造で支持する場合と比較して、段板３のささら桁２に対する取付強度を十分に確保することができる。
【００６３】
さらに本実施形態においては、段板固定金具４における両下向き片６１，６５を２本のボルト１２，１２によって連結しているため、段板固定金具４のささら桁２に対する回り止めを確実に図ることができる。すなわち仮に、段板固定金具４における両下向き片６１，６５を１本のボルトによって連結した場合には、その１本のボルトの軸心を支点として、段板固定金具４がささら桁２に対し回転して、組付作業等に支障を来すおそれがある。
【００６４】
そこで、本実施形態においては、既述したように、段板固定金具４における両下向き片６１，６５を２本のボルト１２，１２によって連結することにより、段板固定金具４の回転を防止でき、組付作業等をスムーズに行うことができる。
【００６５】
また本実施形態においては、段板固定金具４の外側下向き片６５を差し込む組付溝２６をささら桁２の長さ方向に連続して形成しているため、組付溝を段板３を固定する位置毎に複数形成する場合と比較して、溝付け加工を簡単に行うことができる。
【００６６】
また本実施形態の屋内階段においては、段板３を固定するための段板固定金具４に手摺取付用ボルト孔５２を形成しておき、段板３の手摺取付用ボルト孔５２に手摺子７１の棒ナット７３を挿通配置し、段板固定金具４の手摺取付用ボルト孔５２に挿通したボルト１５を手摺子７１の棒ナット７３にねじ込んで固定することにより、手摺子７１を段板３に固定するものである。このように段板固定用の段板固定金具４を、手摺子固定用金具としても利用しているため、部品点数を削減でき、コストを削減できるとともに、階段施工作業をより一層効率良く行うことができる。
【００６７】
その上さらに段板固定金具４が手摺子固定用金具を兼用しているため、スペース的や作業的に手摺子固定用金具の取付が困難な場合でも、段板固定用の固定金具４を取り付けるだけで、手摺を構成する手摺子７１を確実に取り付けることができる。
【００６８】
また本実施形態においては、手摺子７１の断面を、階段巾方向に長い長方形状に形成しているため、特に横揺れに対する強度を十分に確保でき、手摺子７１、ひいては手摺７を、より一層安定した状態で強固に固定することができる。
【００６９】
本実施形態においては、段板固定金具４の高さＨ（図７（ｃ）参照）を１００ｍｍ〜１５０ｍｍ、より好ましくは１１０〜１３０ｍｍに設定するのが良い。すなわちこの高さＨが高過ぎる場合、１段目の蹴上げ高さを低くできず、設計の自由度が低下するおそれがある。逆に高さＨが低過ぎる場合、段板３の前端縁がささら桁２に干渉することによって、ささら桁２の傾斜角度が制約されて、設計の自由度が低下するおそれがある。
【００７０】
ここで、本実施形態において、固定金具４の高さＨとは、段板固定金具４における段板受け板５の上面に対し直交する方向を高さ方向として、段板受け片５の上面から内側下向き片６１または外側下向き片６５の先端（下端）までの高さ方向の寸法（距離）に相当するものである。
【００７１】
参考までに、本実施形態では、高さが１２０ｍｍの段板固定金具４、厚みが３０ｍｍの段板３を使用しており、蹴上げ寸法が１２０ｍｍ＋３０ｍｍ＝１５０ｍｍとなり、階段角度（勾配）が５０°まで対応可能となっている。
【００７２】
また本実施形態において、ささら桁２の組付溝２６の深さＤ（図４参照）は、段板固定金具４の高さＨ（図７（ｃ）参照）に合わせて適宜調整すれば良く、例えば３０ｍｍ〜６０ｍｍに設定するのが良い。
【００７３】
ここで、本実施形態において、組付溝２６の深さＤとは、ささら桁２の上側面２１に対し直交する方向を深さ方向として、ささら桁２の上側面２１から組付溝２６の底面までの寸法（距離）に相当するものである。
【００７４】
なお上記実施形態においては、ささら桁２に長さ方向全域にわたって組付溝２６を連続して形成するようにしているが、組付溝２６は、必ずしも連続して形成する必要はなく、断続的に形成するようにしても良い。要は、本発明において、ささら桁における少なくとも段板固定金具が固定される位置に、つまり段板固定金具の外側下向き片が差し込まれる位置に、組付溝が形成されていれば良い。
【００７５】
また上記実施形態においては、段板固定金具４における外側下向き片６５を、内側下向き片６１にボルト１２を介して連結するようにしているが、本発明においては、両下向き片６１，６５を必ずしも連結する必要はない。例えば外側下向き片６５を、組付溝２６内に差し込んだ状態で、ささら桁２に適当な固着手段を介して固定するようにしても良い。
【００７６】
また上記実施形態においては、屋内階段における一方の側縁部に手摺７を組み立てるようにしているが、それだけに限られず、本発明においては、屋内階段における両側の側縁部に手摺を組み立てるようにしても良い。例えば屋内階段の両側が共に開放されているような場合には、階段の両側縁部にそれぞれ手摺を組み立てるのが良い。
【００７７】
また上記実施形態においては、手摺７の親柱を１段目の段板３に取り付けるようにしているが、それだけに限られず、本発明においては、手摺の親柱を階段本体１の手前の床面に取り付けて、２本目以降の手摺子を段板３に取り付けるようにしても良い。
【００７８】
また上記実施形態においては、段板固定金具４における両下向き片６１，６５を２本のボルト１２，１２によって連結しているが、本発明においては、このボルト数は限定されるものではなく、１本であっても、３本以上であっても良い。もっとも、既述したように段板固定金具４のささら桁２に対する回り止めを確実に図るためには、少なくとも２本以上のボルトによって、両下向き片を連結固定するのが良い。
【００７９】
また上記実施形態においては、ささら桁２が２本設けられる場合を例に挙げて説明したが、ささら桁の設置数は３本以上でも良いし、１本でも良い。ささら桁が１本の場合には例えば、屋内壁面に対向している側が内側となり、屋内壁面に対向していない側（開放側）が外側となる。つまり覗き込まれ易い側が外側となり、その反対側が内側となる。
【産業上の利用可能性】
【００８０】
この発明の屋内階段は、例えば一般住宅等の屋内に組み付けられるオープン階段に適用することができる。
【符号の説明】
【００８１】
１１：ビス（段板用固着具）
１２：ボルト（連結具）
１３：ビス（桁用固着具）
２：ささら桁
２１：上側面
２３：内側面
２６：組付溝
３：段板
４：段板固定金具
５：段板受け板
５１：段板取付用ビス孔（段板取付用貫通孔）
５２：手摺取付用ボルト孔（手摺固定孔）
６１：内側下向き片
６３：桁取付用ビス孔（桁取付用貫通孔）
６５：外側下向き片
７：手摺
７１：手摺子
７４：ボルト（手摺用固着具）
７５：笠木
【図１】
2014047526.tif 000003
【図２】
2014047526.tif 000004
【図３】
2014047526.tif 000005
【図４】
2014047526.tif 000006
【図５】
2014047526.tif 000007
【図６】
2014047526.tif 000008
【図７】
2014047526.tif 000009
【図８】
2014047526.tif 000010